(57)【要約】【課題】重量の増大、製造コストの増大、生産性の低下及び熱交換効率の低下を伴うこと無く、デフロスト運転時に発生するドレン水を円滑に排出することができる熱交換器を提供する。【解決手段】扁平な断面形状を有するアルミニウム製のチューブとその上に蛇腹状に形成されたアルミニウム製のフィンとの複数の組を上下方向に積層してなる積層体及びチューブの両端においてチューブ内に形成された熱媒体の流路と連通する空間が内部に形成された一対のヘッダを備える室外熱交換器において、チューブの幅方向における少なくとも何れか一方の向きにフィンがチューブからはみ出すようにフィンを配設する。フィンの折り目の曲率半径は１〜２ｍｍとしてもよい。チューブの頂面の縁に所定の間隔にて複数の凹部を設けてもよく、当該凹部に連通する複数の溝を更に設けてもよい。一対のヘッダの少なくとも一方の側面に鉛直方向に延在する溝を設けてもよい。【選択図】図２
2018128227.tif 000002
【特許請求の範囲】
【請求項１】
熱媒体が流れる流路が内部に形成された複数のアルミニウム製のチューブと、
前記複数のチューブのそれぞれと熱伝導可能に配設されたアルミニウム製のフィンと、
前記複数のチューブの前記流路と連通する空間が内部に形成された一対のヘッダと、
を備え、
前記チューブは、水平方向と平行な長軸を有する扁平な断面形状を有し、
前記フィンは、屈曲方向が互いに反対方向である水平な折り目が交互に繰り返されて蛇腹状に形成されたシート状部材によって構成されており、
前記フィンは、前記チューブに対して鉛直方向における上側に配設されており、
前記チューブと前記フィンとの組み合わせは、鉛直方向に積層されており、
前記一対のヘッダは、前記チューブの長手方向における両端において前記チューブと接続されている、
室外熱交換器であって、
水平な平面への平行投影図において前記チューブの幅方向における少なくとも何れか一方の向きに前記フィンが前記チューブからはみ出すように前記フィンが配設されている、
室外熱交換器。
【請求項２】
請求項１に記載された室外熱交換器であって、
前記フィンの前記折り目の曲率半径は１ｍｍ以上であり且つ２ｍｍ以下であるように構成されている、
室外熱交換器。
【請求項３】
請求項１又は請求項２に記載された室外熱交換器であって、
少なくとも前記チューブの鉛直方向上側の表面である頂面の前記チューブの幅方向における縁に、所定の間隔を空けて複数の凹部が形成されている、
室外熱交換器。
【請求項４】
請求項３に記載された室外熱交換器であって、
前記チューブの前記頂面に、前記凹部に連通する複数の溝が形成されている、
室外熱交換器。
【請求項５】
請求項１乃至請求項４の何れか１項に記載された室外熱交換器であって、
前記一対のヘッダの少なくとも一方の側面に、鉛直方向に延在する溝が形成されている、
室外熱交換器。
【発明の詳細な説明】
【技術分野】
【０００１】
本発明は、熱交換器に関する。より詳しくは、本発明は、例えば空気調和機の室外機等において使用される熱交換器に関する。
【背景技術】
【０００２】
例えばヒートポンプ式空気調和機の暖房運転時に室外機等を構成する熱交換器によって空気を氷点以下に冷却すると熱交換器に霜が付着する場合がある。熱交換器に付着する霜の量が多いと、熱交換効率が低下し、空気調和機としての機能が十分に発揮されなくなる虞がある。そこで、当該技術分野においては、熱交換器に付着した霜を取り除いて（除霜して）熱交換効率を回復させるデフロスト（除霜）運転を行う機能を備える空気調和機が知られている。このデフロスト運転における具体的な除霜方式としては、例えばオフサイクル方式、ホットガス方式、散水式及び電気ヒータ方式等を挙げることができる。何れの除霜方式においても、熱交換器に付着した霜が融解して水となり、ドレン水として系外に排出される。
【０００３】
ところで、熱交換面積を増やして熱交換性能を高めること等を目的として、例えば、熱交換器の上下方向の寸法を大きくしたり、複数の熱交換器を上下方向に並列して配置したりする構成が知られている。このような構成において上述したデフロスト運転を行うと、熱交換器の上部において発生したドレン水が熱交換器の下部に付着したり、上側に配置された熱交換器において発生したドレン水が下側に配置された熱交換器に付着したりする場合がある。このようにドレン水が熱交換器に付着した状態のまま暖房運転に復帰すると、再び凍結して霜となり、熱交換器に次第に蓄積してゆく虞がある。このように熱交換器に霜が蓄積されると、熱交換を行う部材であるフィンを目詰まりさせたり、フィンへの空気の流れを妨げたり、最悪の場合、熱交換器の破損を招いたりする虞がある。
【０００４】
そこで、当該技術分野においては、上下方向に並列して配置された熱交換器の間に導水装置（ドレンパン）を配設して、上側の熱交換器で発生したドレン水が下側の熱交換器に到る前に当該ドレンパンによって受けて排出することが提案されている（例えば、特許文献１を参照。）。これにより、上側に配置された熱交換器において発生したドレン水が下側に配置された熱交換器に付着して暖房運転への復帰時に再凍結して霜となり熱交換器に蓄積する問題を低減することができる。
【０００５】
しかしながら、上記のように熱交換器とは別個の部材であるドレンパンを追加することは、部品点数及び組み付け工数を増大させ、重量の増大、製造コストの増大、並びに生産性の低下を招く虞がある。また、ドレンパンは上側の熱交換器と下側の熱交換器との間に配設されるため、周囲の空気と接触して熱交換を行う部材であるフィンへの空気の流れを妨げ、熱交換効率を低下させる虞がある。更に、室外機は屋外に配置されるため、外部からの異物及び埃等がドレンパンに堆積してドレン水が流れ難くなり、その結果ドレンパンに溜まったドレン水が寒冷時に凍結したり、降雪時にドレンパンに雪が積もって寒冷時に凍結したりして、ドレンパンを介するドレン水の排出が困難となる虞がある。
【０００６】
上記のように、当該技術分野においては、重量の増大、製造コストの増大、生産性の低下及び熱交換効率の低下を伴うこと無く、デフロスト運転時に発生するドレン水を円滑に排出することができる熱交換器が求められている。
【０００７】
ところで、例えば図１の（ａ）に示すように、空気調和機の室外機において使用されてきた従来技術に係る熱交換器１０は、円柱状の銅製チューブ１１及びアルミニウム製フィン１２によって構成されてきた。チューブ１１の内部には、熱媒体の流路となる孔１１ａが１つ形成されている。典型的には、チューブ１１は８ｍｍ程度の直径を有する。また、チューブ１１はフィン１２を貫通するように配設されており、個々のフィン１２は独立した部材によって形成されている。従って、フィン１２に付着した霜がデフロスト運転によって融解してドレン水が発生すると、ドレン水はフィン１２の表面を流れ落ちてフィン１２の下端から排出される（白抜きの矢印を参照。）。
【０００８】
アルミニウムは、銅に比べて、単価が安く、密度が小さく、且つ微細な形状に加工し易い。そこで昨今では、例えばコスト削減、軽量化及び熱交換効率の向上等を目的として、円柱状の銅製チューブが扁平な断面を有するアルミニウム製チューブによって置き換えられつつある。例えば図１の（ｂ）に示す本発明に係る熱交換器２０は扁平な断面を有するアルミニウム製チューブ２１及びアルミニウム製のフィン２２によって構成されている。尚、図１の（ｂ）においては、チューブ２１の内部に形成されている熱媒体の流路となる孔（２１ａ）は省略されている。
【０００９】
図１の（ｃ）は、図１の（ｂ）における矢印の方向から観察されるチューブ２１の断面の模式図である。図１の（ｃ）に示すように、チューブ２１の内部には、熱媒体の流路となる孔２１ａが複数個（本例においては７個）形成されている。典型的には、チューブ２１の扁平な断面は１０〜１６ｍｍ程度の長軸及び３〜５ｍｍ程度の短軸を有する。
【００１０】
また、アルミニウム製チューブ２１は、上述した銅製チューブ１１のようにフィン１２を貫通するように配設されるのではなく、フィン２２の下端に接するように配設されている。従って、フィン２２に付着した霜がデフロスト運転によって融解してドレン水が発生すると、ドレン水はフィン２２の表面を流れ落ちるものの、フィン２２の下端がチューブ２１によって塞がれているので、フィン１２の下端が開放されている従来技術に係る熱交換器１０に比べて、ドレン水が排出され難い。
【００１１】
更に、例えば生産性向上等の観点から、扁平な断面を有するアルミニウム製チューブ２１を使用する熱交換器２０においては、フィン２２は蛇腹状に折り返されたアルミニウム製のリボンによって形成されるのが一般的である。従って、フィン２２の下端側の折り返し部分にドレン水が滞留するため、フィン１２の下端が開放されている熱交換器１０に比べて、ドレン水が排出され難い。
【００１２】
上記のように、円柱状の銅製チューブを扁平な断面を有するアルミニウム製チューブに置き換えることにより、熱交換器におけるコスト削減、軽量化及び熱交換効率の向上を達成することができるものの、ドレン水を円滑に排出することができない。即ち、当該技術分野においては、重量の増大、製造コストの増大、生産性の低下及び熱交換効率の低下を伴うこと無く、デフロスト運転時に発生するドレン水を円滑に排出することができる熱交換器は依然として実現されていない。
【先行技術文献】
【特許文献】
【００１３】
【特許文献１】特開２０１４−１１５００７号公報
【発明の概要】
【発明が解決しようとする課題】
【００１４】
上述したように、当該技術分野においては、重量の増大、製造コストの増大、生産性の低下及び熱交換効率の低下を伴うこと無く、デフロスト運転時に発生するドレン水を円滑に排出することができる熱交換器が求められている。
【課題を解決するための手段】
【００１５】
本発明は上記課題に鑑みてなされたものであり、重量の増大、製造コストの増大、生産性の低下及び熱交換効率の低下を伴うこと無く、デフロスト運転時に発生するドレン水を円滑に排出することができる熱交換器を提供することを１つの目的としている。
【００１６】
即ち、本発明に係る室外熱交換器（以降、「本発明熱交換器」と称される場合がある。）は、熱媒体が流れる流路が内部に形成された複数のアルミニウム製のチューブと、前記複数のチューブのそれぞれと熱伝導可能に配設されたアルミニウム製のフィンと、前記複数のチューブの前記流路と連通する空間が内部に形成された一対のヘッダと、を備える。
【００１７】
前記チューブは、水平方向と平行な長軸を有する扁平な断面形状を有する。前記フィンは、屈曲方向が互いに反対方向である水平な折り目が交互に繰り返されて蛇腹状に形成されたシート状部材によって構成されている。前記フィンは、前記チューブに対して鉛直方向における上側に配設されている。前記チューブと前記フィンとの組み合わせは、鉛直方向に積層されている。前記一対のヘッダは、前記チューブの長手方向における両端において前記チューブと接続されている。
【００１８】
更に、本発明熱交換器においては、水平な平面への平行投影図において前記チューブの幅方向における少なくとも何れか一方の向きに前記フィンが前記チューブからはみ出すように前記フィンが配設されている。
【００１９】
また、本発明熱交換器において、前記フィンの前記折り目の曲率半径は１ｍｍ以上であり且つ２ｍｍ以下であるように構成されていてもよい。更に、少なくとも前記チューブの鉛直方向上側の表面である頂面の前記チューブの幅方向における縁（へり）に、所定の間隔を空けて複数の凹部が形成されていてもよい。この場合、前記チューブの前記頂面に、前記凹部に連通する複数の溝が形成されていてもよい。加えて、前記一対のヘッダの少なくとも一方の側面に、鉛直方向に延在する溝が形成されていてもよい。
【発明の効果】
【００２０】
本発明熱交換器によれば、重量の増大、製造コストの増大、生産性の低下及び熱交換効率の低下を伴うこと無く、デフロスト運転時に発生するドレン水を円滑に排出することができる。
【００２１】
より詳細には、別個の部材であるドレンパンの追加を伴わないので、部品点数及び組み付け工数の増大、重量の増大、製造コストの増大、生産性の低下、並びに熱交換効率の低下を回避することができる。また、本発明熱交換器が備えるチューブは、従来技術に係るチューブの材料である銅よりも単価が安く、密度が小さく、且つ微細な形状に加工し易い材料であるアルミニウムによって形成されているので、コスト削減、軽量化及び熱交換効率の向上を達成することができる。更に、上述したようにチューブからはみ出すようにフィンが配設されるので、ドレン水を円滑に排出することができる。
【００２２】
加えて、フィンの折り目の曲率半径を所定の範囲内に収めたり、少なくともチューブの頂面の縁に凹部を形成したり、チューブの頂面に溝を形成したり、鉛直方向に延在する溝をヘッダに形成したりすることにより、ドレン水をより円滑に排出することができる。
【００２３】
本発明の他の目的、他の特徴及び付随する利点は、以下の図面を参照しつつ記述される本発明の各実施形態についての説明から容易に理解されるであろう。
【図面の簡単な説明】
【００２４】
【図１】従来技術に係る熱交換器の部分的な構成を示す模式的な斜視図（ａ）及び本発明に係る熱交換器の部分的な構成を示す模式的な斜視図（ｂ）、並びに（ｂ）における矢印の方向から観察されるチューブの模式的な断面図（ｃ）である。
【図２】本発明の第１実施形態に係る室外熱交換器（第１熱交換器）の模式的な正面図である。
【図３】図２に示した第１熱交換器の左上隅部分の模式的な拡大図（ａ）、（ａ）に示した部分の模式的な平面図（上面図）（ｂ）、及び（ｂ）に示した破線の丸印Ｐによって囲まれた部分の模式的な拡大図（ｃ）である。
【図４】本発明の第２実施形態に係る室外熱交換器（第２熱交換器）が備えるフィンの特徴を説明する模式図である。
【図５】本発明の第３実施形態に係る室外熱交換器（第３熱交換器）の部分的な構成を示す模式的な正面図（ａ）及び模式的な斜視図（ｂ）である。
【図６】本発明の第４実施形態に係る室外熱交換器（第４熱交換器）の部分的な構成を示す模式的な正面図（ａ）及びチューブの模式的な斜視図（ｂ）である。
【図７】本発明の第５実施形態に係る室外熱交換器（第５熱交換器）の左上隅部分の拡大図（ａ）及び（ａ）に示した部分の模式的な平面図（上面図）（ｂ）である。
【発明を実施するための形態】
【００２５】
《第１実施形態》
以下、図面を参照しながら本発明の第１実施形態に係る室外熱交換器（以降、「第１熱交換器」と称される場合がある。）について説明する。
【００２６】
〈構成〉
図２は、第１熱交換器２０の模式的な正面図である。また、図３は、図２に示した第１熱交換器２０の左上隅部分の模式的な拡大図（ａ）、（ａ）に示した部分の模式的な平面図（上面図）（ｂ）、及び（ｂ）に示した破線の丸印Ｐによって囲まれた部分の模式的な拡大図（ｃ）である。第１熱交換器２０は、図１の（ｃ）に示したように熱媒体が流れる流路２１ａが内部に形成された複数のアルミニウム製のチューブ２１と、前記複数のチューブ２１のそれぞれと熱伝導可能に配設されたアルミニウム製のフィン２２と、前記複数のチューブ２１の前記流路２１ａと連通する空間（図示せず）が内部に形成された一対のヘッダ２３Ｌ及び２３Ｒ（両者を併せて符号２３を付す場合もある。）と、を備える。即ち、熱媒体は、ヘッダ２３（２３Ｌ及び／又は２３Ｒ）の内部に形成された空間からチューブ２１の内部に形成された流路２１ａへと流入し且つチューブ２１の内部に形成された流路２１ａからヘッダ２３（２３Ｌ及び／又は２３Ｒ）の内部に形成された空間へと流出しながら、フィン２２を介して周辺の空気と熱交換する。
【００２７】
図２に示した例においては、ヘッダ２３Ｌの内部空間は遮蔽部材２３ａ及び２３ｃによって３つの区画２３Ｌｄ、２３Ｌｍ及び２３Ｌｕに分割されており、ヘッダ２３Ｒの内部空間は遮蔽部材２３ｂによって２つの区画２３Ｒｄ及び２３Ｒｕに分割されている。また、ヘッダ２３Ｌの内部空間の遮蔽部材２３ａよりも下側の区画２３Ｌｄは導入管２４Ｄと連通しており、ヘッダ２３Ｌの内部空間の遮蔽部材２３ｃよりも上側の区画２３Ｌｕは導出管２４Ｕと連通している。
【００２８】
第１熱交換器２０を使用するヒートポンプ式空気調和機の暖房運転時には、当該ヒートポンプ式空気調和機が備える室内機の熱交換器から配管及びコンプレッサ等（何れも図示せず）を通して導入管２４Ｄに導かれた熱媒体は、先ずヘッダ２３Ｌの区画２３Ｌｄに流入する。この熱媒体は、遮蔽部材２３ａよりも下側においてヘッダ２３Ｌの内部空間と連通しているチューブ２１の流路２１ａを通って反対側のヘッダ２３Ｒの区画２３Ｒｄに到達する。この間、熱媒体は、これらのチューブ２１と熱伝導可能に配設されたフィン２２を介して、周囲の空気から熱を奪う（熱交換する）。
【００２９】
次に、区画２３Ｒｄに到達した熱媒体は区画２３Ｒｄに充満し、遮蔽部材２３ａよりも上側且つ遮蔽部材２３ｂよりも下側においてヘッダ２３Ｒの内部空間と連通しているチューブ２１の流路２１ａを通って反対側のヘッダ２３Ｌの区画２３Ｌｍに到達する。この間にも、熱媒体は、これらのチューブ２１と熱伝導可能に配設されたフィン２２を介して、周囲の空気から熱を奪う（熱交換する）。
【００３０】
以降、上記と同様に、熱媒体は、区画２３Ｌｍ、チューブ２１、区画２３Ｒｕ、チューブ２１、区画２３Ｌｕの順に流れ、区画２３Ｌｕと連通している導出管２４Ｕを介して、室内機の熱交換器へと戻される。この間にも、熱媒体は、これらのチューブ２１と熱伝導可能に配設されたフィン２２を介して、周囲の空気から熱を奪う（熱交換する）。
【００３１】
前記チューブ２１は、図１の（ｃ）に示したように、水平方向と平行な長軸を有する扁平な断面形状を有する。前記フィン２２は、屈曲方向が互いに反対方向である水平な折り目が交互に繰り返されて（互い違いに折り返されて）蛇腹状に形成されたシート状部材によって構成されている。前記フィン２２は、前記チューブ２１に対して鉛直方向における上側に配設されている。これらの前記チューブ２１と前記フィン２２との組み合わせは、鉛直方向（即ち、上下方向）に積層されている。尚、図２及び図３（並びに後述する図７）に示した例においては、最上段に配設されたフィン２２を保護することを目的として、カバー２５が配設されている。前記一対のヘッダ２３Ｌ及び２３Ｒは、前記チューブ２１の長手方向（図２に向かって左右方向）における両端において前記チューブ２１と接続されている。
【００３２】
更に、第１熱交換器２０においては、水平な平面への平行投影図において前記チューブ２１の幅方向（図２に向かって手前と奥とを結ぶ方向。図２の紙面の法線方向）における少なくとも何れか一方の向きに前記フィン２２が前記チューブ２１からはみ出すように前記フィン２２が配設されている。換言すれば、チューブ２１に対してフィン２２がチューブ２１の幅方向の何れか一方へオフセットして（ずれて）配設されていてもよく、或いは、チューブ２１の幅よりもフィン２２の幅の方が広く、チューブ２１の幅方向の両方へフィン２２がはみ出していてもよい。
【００３３】
第１熱交換器２０においては、図３の（ｂ）及び（ｃ）に示したように、チューブ２１に対してフィン２２がチューブ２１の幅方向の一方（図３の（ｂ）及び（ｃ）に向かって上方）へオフセットして配設されている。尚、図３の（ｃ）に示した点線Ｌは、フィン２２の他方（図３の（ｂ）及び（ｃ）に向かって下方）の端部の位置を表している。
【００３４】
第１熱交換器２０を構成する各部材は、当該技術分野において周知の手法によって接合することができる。本例においては、ロウ付けによって各構成部材を接合した。また、第１熱交換器２０並びにその構成部材としてのチューブ２１及びフィン２２の大きさ、形状及び構造等については、第１熱交換器２０の用途において求められる熱交換能力及び室外機の設置環境等に応じて適宜定めることができる。本例において使用したチューブ２１の内部には７個の孔２１ａを形成し、チューブ２１の扁平な断面の長軸は１６ｍｍとし、短軸は４ｍｍとした。
【００３５】
尚、上述したように第１熱交換器２０におけるチューブ２１及びフィン２２は何れもアルミニウム製である。しかしながら、一般的には、ヒートポンプ式空気調和機が備える室内機の熱交換器と室外機の熱交換器との間で熱媒体を循環させるための配管は銅製のパイプによって構成される。従って、例えばヒートポンプ式空気調和機の設置現場における第１熱交換器２０と蒸気配管との接合を容易にすること等を目的として、例えば、銅製の導入管２４Ｄ及び導出管２４Ｕを採用してもよい。
【００３６】
〈効果〉
以上のように、第１熱交換器２０は別個の部材であるドレンパンの追加を必要としないので、前述したような部品点数及び組み付け工数の増大、重量の増大、製造コストの増大、生産性の低下、並びに熱交換効率の低下等の問題を回避することができる。また、第１熱交換器２０が備えるチューブ２１はアルミニウム製である。アルミニウムは銅よりも単価が安く、密度が小さく、且つ微細な形状に加工し易いので、コスト削減、軽量化及び熱交換効率の向上を達成することができる。更に、チューブ２１及びフィン２２の両方がアルミニウム製であるので、従来技術に係る熱交換器に比べて、異種金属間の接合を大幅に低減することができ、生産性の向上にも繋がる。
【００３７】
加えて、第１熱交換器２０においては、チューブ２１からはみ出すようにフィン２２が配設されるので、このフィン２２のはみ出した部分を介して、ドレン水を円滑に排出することができる。
【００３８】
即ち、第１熱交換器によれば、重量の増大、製造コストの増大、生産性の低下及び熱交換効率の低下を伴うこと無く、デフロスト運転時に発生するドレン水を円滑に排出することができる。
【００３９】
《第２実施形態》
以下、図面を参照しながら本発明の第２実施形態に係る室外熱交換器（以降、「第２熱交換器」と称される場合がある。）について説明する。
【００４０】
〈構成〉
図４は、第２熱交換器が備えるフィンの特徴を説明する模式図であり、図２及び図３の（ａ）に示したフィン２２を正面から観察した様子に対応する。上述したように、第１熱交換器を始めとする本発明に係る室外熱交換器（本発明熱交換器）が備えるフィン２２は、屈曲方向が互いに反対方向である水平な折り目が交互に繰り返されて蛇腹状に形成されたシート状部材によって構成されている。従って、図４に示した破線の丸印によって囲まれた部分（以降、「谷部」と称される場合がある。）のようにフィン２２が上方から見て「谷折り」となっている（即ち、下方に凸となる方向に屈曲されている）箇所にドレン水が滞留し易い。
【００４１】
上記のようにドレン水が谷部に滞留しても、滞留したドレン水の量がある程度以上に達すると、やがては自重に堪えきれなくなり、フィン２２の端部から流れ落ちて系外又はチューブ２１の頂面へと排出される。しかしながら、例えば、図４の（ａ）に示すように谷部におけるフィンの折り目の曲率半径が小さい場合、表面張力によってドレン水が谷部に停滞し易くなる。一方、図４の（ｂ）に示すように谷部におけるフィンの折り目の曲率半径を大きくすると、表面張力によって谷部に停滞するドレン水の量が低減される。
【００４２】
そこで、第２熱交換器においては、前記フィン２２は、前記折り目の曲率半径が１ｍｍ以上であり且つ２ｍｍ以下であるように構成されている。フィン２２の折り目の曲率半径が１ｍｍ未満であると、表面張力によって谷部に停滞するドレン水の量が増大する虞がある。一方、フィン２２の折り目の曲率半径が２ｍｍよりも大きいと、単位長さ辺りに配設することができるフィン２２の数が減少し、必要とされる熱交換効率を達成することが困難となる虞がある。
【００４３】
〈効果〉
以上のように、第２熱交換器によれば、谷部におけるフィン２２の折り目の曲率半径を所定の範囲内に収めることにより、フィン２２の間隔を過度に広げること無く所期の熱交換効率を達成しつつ、表面張力によって谷部に停滞するドレン水の量を低減して、ドレン水を更により円滑に排出することができる。
【００４４】
更に、フィン２２の間隔が同一である場合、谷部におけるフィン２２の折り目の曲率半径が大きいほど、個々のフィン２２の傾斜が強くなる（フィン２２の谷部以外の面と水平面とがなす角度が直角に近付く）ので、フィン２２の谷部以外の面にドレン水が滞留し難くなり、ドレン水の円滑な排出に寄与することができる。
【００４５】
《第３実施形態》
以下、図面を参照しながら本発明の第３実施形態に係る室外熱交換器（以降、「第３熱交換器」と称される場合がある。）について説明する。
【００４６】
〈構成〉
上述したように、第２熱交換器においては、谷部におけるフィン２２の折り目の曲率半径を所定の範囲に収めることにより、表面張力によって谷部に停滞するドレン水の量を低減し、ドレン水を更により円滑に排出することができるようにした。しかしながら、第１熱交換器及び第２熱交換器を始めとする本発明熱交換器が備えるチューブ２１は偏平な断面形状を有するため、チューブ２１の頂面（鉛直方向上側の表面）においても、表面張力によってドレン水が停滞し易い。
【００４７】
上記のようにして表面張力によってチューブ２１の頂面に停滞しているドレン水は、その後のドレン水の発生により増大し、チューブ２１の頂面においてドレン水が停滞している領域が広がってゆく。従って、やがては当該領域がチューブ２１の頂面の縁（へり）に到達し、チューブ２１の頂面からドレン水が流れ落ち始める。
【００４８】
しかしながら、デフロスト（除霜）運転後に暖房運転に復帰した時にドレン水が再凍結して霜となり熱交換器に蓄積する問題を低減する観点からは、チューブ２１の頂面に停滞しているドレン水が早期にチューブ２１の頂面からドレン水が流れ落ち始めることが望ましい。
【００４９】
そこで、第３熱交換器においては、少なくとも前記チューブ２１の鉛直方向上側の表面である頂面の前記チューブの幅方向における縁に、所定の間隔を空けて複数の凹部２１ｂが形成されている。
【００５０】
図５は、第３熱交換器の部分的な構成を示す模式的な正面図（ａ）及び模式的な斜視図（ｂ）である。図５に示した例においては、チューブ２１の頂面におけるフィン２２の隣接する谷部の間の領域に１つずつ凹部２１ｂが形成されている。しかしながら、凹部２１ｂを形成する箇所及び間隔は本例に限定されず、例えば発生が予想されるドレン水の量、チューブ２１の大きさ及び形状、並びにチューブ２１に求められる機械的強度等に応じて、適宜定めることができる。また、図５においてはフィン２２の陰になるため描くことはできないが、チューブ２１の頂面の反対側（図５に向かって奥側）の縁にも、凹部２１ｂが形成されていてもよい。
【００５１】
更に、本例においては、チューブ２１の頂面の縁、即ちチューブ２１の断面における肩部分に凹部２１ｂを形成したが、チューブ２１の頂面の縁以外の部分にまで凹部２１ｂが及んでいてもよい。例えば、チューブ２１の頂面の縁から側面を経て底面の縁にまで及ぶように凹部２１ｂが形成されていてもよい。
【００５２】
〈効果〉
以上のように、第３熱交換器においては、少なくともチューブ２１の幅方向における頂面の縁に、所定の間隔を空けて複数の凹部２１ｂが形成されている。これにより、ドレン水の発生が継続して、表面張力によってチューブ２１の頂面においてドレン水が停滞している領域が広がると、当該領域がチューブ２１の頂面の縁に到達する前に凹部２１ｂに到達する。従って、凹部２１ｂが形成されていない場合に比べて、チューブ２１の頂面に停滞していたドレン水をより早期にチューブ２１の頂面から凹部２１ｂを経由して流れ落ち始めさせることができる。即ち、第３熱交換器によれば、ドレン水を更により円滑に排出することができる。
【００５３】
《第４実施形態》
以下、図面を参照しながら本発明の第４実施形態に係る室外熱交換器（以降、「第４熱交換器」と称される場合がある。）について説明する。
【００５４】
〈構成〉
チューブ２１の頂面に停滞していたドレン水をより早期にチューブ２１の頂面から流れ落ち始めさせるための方策は上記に限定されるものではない。例えば、表面張力によってチューブ２１の頂面に停滞しているドレン水を頂面の縁へと誘導することができる構造を頂面に形成して、ドレン水の排出を促進することが考えられる。
【００５５】
上記のような構造の具体例としては、例えば、チューブ２１の頂面に形成された溝等を挙げることができる。チューブ２１の頂面に溝を形成した場合においても、デフロスト運転に伴って発生するドレン水は、チューブ２１の頂面における溝のある部分のみならず、溝の無い部分にも停滞する。しかしながら、溝のある部分に停滞したドレン水の高さは、溝の無い部分に停滞したドレン水の高さよりも、溝の深さ分だけ、より大きい。従って、溝のある部分に停滞したドレン水の自重の方が、溝の無い部分に停滞したドレン水の自重よりも大きくなる。
【００５６】
上記の結果、溝のある部分に停滞したドレン水の方が、溝の無い部分に停滞したドレン水よりも早期に自重に堪えきれなくなり、溝の長手方向に流れ始める。このようにして溝のある部分に停滞したドレン水が流れ始めると、その周囲に停滞していたドレン水も当該流れに引き込まれて、チューブ２１の頂面に停滞していたドレン水の排出が促進される。このとき、チューブ２１の頂面からドレン水が流れ落ち易くするためには、頂面に形成された溝が頂面の縁に到達していることが好ましく、チューブ２１の頂面に形成された溝が上述した凹部２１ｂと連通していることがより好ましい。
【００５７】
そこで、第４熱交換器においては、前記チューブの前記頂面に、前記凹部に連通する複数の溝が形成されている。
【００５８】
図６は、第４熱交換器の部分的な構成を示す模式的な正面図（ａ）及びチューブの模式的な斜視図（ｂ）である。図６に示した例においては、チューブ２１の頂面におけるフィン２２の隣接する谷部の間の領域にチューブ２１の頂面の全幅に及ぶ溝２１ｃが１つずつ形成され、個々の溝２１ｃの両端に位置する２つの縁に凹部２１ｂがそれぞれ形成されている。しかしながら、凹部２１ｂ及び溝２１ｃを形成する箇所及び間隔は本例に限定されず、例えば発生が予想されるドレン水の量、チューブ２１の大きさ及び形状、並びにチューブ２１に求められる機械的強度等に応じて、適宜定めることができる。
【００５９】
また、本例においては、チューブ２１の頂面の全幅に及ぶ溝２１ｃをチューブ２１の幅方向と平行になるように形成したが、溝２１ｃは必ずしもチューブ２１の幅方向と平行である必要は無く、また必ずしも直線状である必要も無い。
【００６０】
〈効果〉
以上のように、第４熱交換器においては、チューブ２１の頂面に、凹部２１ｂに連通する複数の溝２１ｃが形成されている。これにより、表面張力によってチューブ２１の頂面に停滞したドレン水が頂面の縁に形成された凹部２１ｂへと誘導され、ドレン水の排出を促進することができる。即ち、第４熱交換器によれば、ドレン水を更により円滑に排出することができる。
【００６１】
《第５実施形態》
以下、図面を参照しながら本発明の第５実施形態に係る室外熱交換器（以降、「第５熱交換器」と称される場合がある。）について説明する。
【００６２】
〈構成〉
ところで、デフロスト運転に伴って発生するドレン水は、必ずしもチューブ２１及びフィン２２の表面のみに付着するとは限られず、ヘッダ２３（２３Ｌ及び２３Ｒ）の表面に付着する可能性もある。また、ヒートポンプ式空気調和機の暖房運転時にヘッダ２３の表面に付着した霜がデフロスト運転時に融解してドレン水となる可能性もある。このようにしてヘッダ２３の表面に付着したドレン水もまた、暖房運転への復帰時に再凍結して霜となり、熱交換器に蓄積する虞がある。従って、ヘッダ２３についても、その表面に付着したドレン水を円滑に排出することができることが望ましい。
【００６３】
そこで、第５熱交換器においては、前記一対のヘッダ２３Ｌ及び２３Ｒの少なくとも一方の側面に、鉛直方向に延在する溝２３ｄが形成されている。
【００６４】
図７は、第５熱交換器の左上隅部分の拡大図（ａ）及び（ａ）に示した部分の模式的な平面図（上面図）（ｂ）である。図７に示した例においては、ヘッダ２３Ｌとチューブ２１との接合箇所の近傍のヘッダ２３Ｌの側面に、鉛直方向に連続的に延在する一対の凸部によって画定される溝２３ｄが形成されている。しかしながら、溝２３ｄを形成する数、箇所及び形状（例えば、幅及び深さ等）は本例に限定されず、例えば発生が予想されるドレン水の量、ヘッダ２３の大きさ及び形状、並びにヘッダ２３に求められる機械的強度等に応じて、適宜定めることができる。
【００６５】
また、本例においては、鉛直方向に連続的に延在する一対の凸部によって溝２３ｄが画定されているが、溝２３ｄの構成は本例に限定されず、例えばヘッダ２３の側面に鉛直方向に連続的に形成された凹み（窪み）によって溝２３ｄが形成されていてもよい。
【００６６】
〈効果〉
以上のように、第５熱交換器においては、チューブ２１の頂面に、鉛直方向に延在する溝２３ｄが形成されている。これにより、ヘッダ２３の表面に付着したドレン水を円滑に排出して、暖房運転への復帰時にドレン水が再凍結して霜となり、熱交換器に蓄積する虞を低減することができる。
【００６７】
以上、本発明を説明することを目的として、特定の構成を有する幾つかの実施形態につき、時に添付図面を参照しながら説明してきたが、本発明の範囲は、これらの例示的な実施形態に限定されると解釈されるべきではなく、特許請求の範囲及び明細書に記載された事項の範囲内で、適宜修正を加えることが可能であることは言うまでも無い。
【符号の説明】
【００６８】
１０…熱交換器（従来技術）、１１…チューブ（従来技術）、１１ａ…孔（流路）（従来技術）、１２…フィン（従来技術）、２０…熱交換器、２１…チューブ、２１ａ…孔（流路）、２１ｂ…凹部、２１ｃ…溝、２２…フィン、２３（２３Ｌ及び２３Ｒ）…ヘッダ、２３ａ，２３ｂ及び２３ｃ…遮蔽部材、２４Ｕ…導出管、２４Ｄ…導入管、並びに２５…カバー。
【図１】
2018128227.tif 000003
【図２】
2018128227.tif 000004
【図３】
2018128227.tif 000005
【図４】
2018128227.tif 000006
【図５】
2018128227.tif 000007
【図６】
2018128227.tif 000008
【図７】
2018128227.tif 000009